(57)【要約】      （修正有）【課題】簡易な方式のプッシュ装置により、操作をしやすくし、ばねを簡単に取り外せて、環境保護のための資源リサイクルに役立てる。【解決手段】この文字修正器は、前ハウシング１と、ボタン５及びフレキシブルクリップ２１を有する後ハウシング２と、前後の各ハウジング１、２内に引張ばね６を介して配設される修正台３及び材料テープ４１を供給するローラー４とを備えて構成され、前ハウシング１の内壁にレールスロット１１及び穴１２が設けられるとともに、修正台３の後台３１の外壁にフレキシブルスナップ３３が設けられ、フレキシブルクリップ２１の先の内側に、穴１２に嵌合可能な突状の接触部２２が設けられる。【選択図】図１
0003140474.tif 000002
【実用新案登録請求の範囲】
【請求項１】
前部に開口部１７を有する中空の前ハウシング１と、
前記前ハウシング１に結合される、後部に貫通穴２６を有する中空の後ハウシング２と、
前記前、後の各ハウシング１、２内に一連のばね６を介して往復動作可能に配設され、先端が前記前ハウジング１の開口部１７から出没可能な修正台３、及び前記修正台３に併設され、材料テープ４１を前記修正台３の先端に送り出しかつ巻き取る１組のローラー４と、
前記後ハウシングの貫通穴２６内に配置され、前記修正台３を押圧駆動するためのボタン５と、
を備え、
前記前ハウシング１の内壁にレールスロット１１が形成されるとともに、前記レールスロット１１の所定の位置に穴１２が設けられて、
前記修正台３の外壁に前記レールスロット１１上を滑り動き、前記穴１２内に嵌合可能なフレキシブルスナップ３３が設けられ、
前記後ハウシング２の外壁にフレキシブルクリップ２１が設けられるとともに、前記フレキシブルクリップ２１の先の内側に、前記穴１２に嵌合可能に突状の接触部２２が設けられる、
ことを特徴とする文字修正器。
【請求項２】
前記レールスロット１１の後端部に、前記フレキシブルスナップ３３が係止可能な長欠け口１３が形成される請求項１に記載の文字修正器。
【請求項３】
前記前ハウジング１の前記長欠け口１３に合わせて、前記後ハウシング２に前記長欠け口１３に嵌合して、前記後ハウシング２の位置を固定するための方形突出ブロック２３が設けられ、前記前ハウシング１の前記長欠け口１３とは反対側に三角欠け口１６が形成されるとともに、前記三角欠け口１６に合わせて、前記後ハウジング２に前記三角欠け口１６に嵌合して、前記後ハウシング２の位置を固定するための三角突出ブロック２４が設けられる請求項２に記載の文字修正器。
【請求項４】
前記前ハウシング１の内壁のレールスロット１１の両側に平行外レール１４、１４’が突出して設けられ、前記修正台３の外壁のフレキシブルスナップ３３の両側に平行内レール３５、３５’が突出して設けられ、前記内レール３５、３５’が前記外レール１４、１４’にガイドされるように、前記外レール１４、１４’のピッチＷ１が内レール３５，３５’のピッチＷ２よりも大きく設定される請求項１に記載の文字修正器。
【請求項５】
前記修正台３は、後台３１、前記後台３１の前に結合されたフロントバー３２、及び前記フロントバー３２の先端に結合された舌板３４からなり、前記後台３１の末端に前記ボタン５内に嵌合可能な棒体３６が突出され、前記後台３１の側壁に２つの柱状突起３７、３８が設けられる請求項１に記載の文字修正器。
【請求項６】
前記１組のローラー４は、材料テープ４１を送り出すためのフィードローラ４２と、前記材料テープ４１を巻き取るための巻き取りローラ４３と、前記フィードローラ４２及び巻き取りローラ４３を同時に回転させるためのリング状ベルト４４とからなり、前記フィードローラ４２及び前記巻き取りローラ４３はそれぞれ、前記後台３１の前記柱状突起３７、３８に取り付けられる請求項５に記載の文字修正器。
【請求項７】
前記フロントバー３２の後部の両側に対称的に、外向きに突出するストッパー部３９が設けられ、前記前ハウシング１内に前記開口部１７と同芯的に段状の平底部１９が形成され、前記ばね６は前記フロントバー３２及び材料テープ４１の外周に設けられて、その一端が前記平底部１０に係止され、他端が前記ストッパー部３９に係止される請求項５に記載の文字修正器。
【請求項８】
前記前ハウシング１の両側にボタン孔１５、１５’が設けられ、前記後ハウシング２の両側に、前記ボタン孔１５、１５’内に係止可能なフレキシブルボタンクリップ２５、２５’が設けられる請求項１に記載の文字修正器。
【考案の詳細な説明】
【技術分野】
【０００１】
本考案は文字修正器に関する。
【背景技術】
【０００２】
従来の文字修正器は、ユーザが誤字を素早く修正できるように設計されているが、ハウシングに露出する粘着テープが断裂しやすいため、テープを保護するための外蓋が設けられている。この種の文字修正器が例えば、特許文献１に開示されている。この文献１のボタン式収納修正テープは、中空の前ハウシング（１）と、前ハウシングに結合される中空の後ハウシング（２）と、後ハウシングの末端に設けられるボタン（３）と、後ハウシング内に配設され、ボタンに合わせるための中空の円筒固定部品（４）、円筒固定部品内に設けられる中空の円筒状リア部品（５）、及び円筒状リア部品に合わせるための中空の円筒状フロント部品（６）と、前ハウシング内に配設され、フロント部品に支えられる、粘着器（８）、ストッパー部（９）、ばね（１０）を有するテープ固定スタンド（７）と、テープ固定スタンド内に設けられる修正テープ装置（１０１）とを備え、修正テープ装置（１０１）はトレー（１３）、回収ローラー（１１）及びＯ形リング（１４）からなることを特徴とするものである。特に、この修正器に採用されるプッシュ式装置は、ボタン（３）、中空の円筒固定部品（４）、中空の円筒状リア部品（５）、中空の円筒状フロント部品（６）からなり、その構造、機能及び原理は、従来のシャープペンシルのプッシュ構造と同様に、ユーザが人差し指でボタン（３）を押すことにより、前ハウシング（１）内の粘着器（８）が出たり戻ったりし、粘着器（８）が出たときに、修正テープを紙面の誤字のところに貼り付けるようになっている。
【特許文献１】２００５年８月１日台湾特許公開Ｍ２７１７３０号  ボタン式収納修正テープ
【考案の開示】
【考案が解決しようとする課題】
【０００３】
しかしながら、上記特許文献１の修正器では、次のような課題がある。
（１）修正器を親指と人指し指と中指で持たなければならないため、修正器の上にあるボタン３を人指し指や親指で操作しにくく、面倒である。
（２）ばね１０は金属ばねでテープ固定スタンド７内に設けられており、この固定スタンド７はプラスチック材で、これらばね１０とテープ固定スタンド７が異種材の結合になっていて、しかも、ばね１０は固定スタンド７内に隠されているため、使用済み後、この修正器が回収されるときに、両者を分けたり取り外したりすることができず、環境保護のための資源リサイクルが困難である。
【０００４】
本考案は、このような従来の課題に鑑みなされたもので、この種の文字修正器において、簡易な方式のプッシュ装置により、操作しやすくすること、そして、ばねを簡単に取り外せて、環境保護のための資源リサイクルに役立てること、を目的とする。
【課題を解決するための手段】
【０００５】
上記課題を解決するために、本考案の文字修正器は、次のような構成を備えることを特徴とする。
（１）フロント開口部１７を持つ中空前ハウシング１が設けられる
（２）前ハウシング１に合わせ、後貫通穴２６を持つ中空後ハウシング２が設けられる。（３）前・後二ハウシング１、２内にある修正台３が設けられる。
（４）前記修正台３と組み合わせ、粘着テープ４１のローラー組４を持つ後台３１が設けられる。
（５）後ハウシング貫通穴２６内にあり、修正台３の往復動作を動かすのに使われるためのボタン５がある。
（６）修正台３のフロントバー３２にある一連の引張ばね６からなる文字修正器である。
（７）前記前ハウシング１の内壁にレールスロット１１が設けられ、レールスロット１１に嵌め穴１２があり、前記修正台３の後台３１の外壁に、レールスロット１１を滑り動き、嵌め穴１２内に嵌められるためのフレキシブルスナップ３３が設けられ、後ハウシング２の外壁にフレキシブルクリップ２１が設けられ、前記フレキシブルクリップ２１の先の底部に、前記嵌め穴１２に合わせる二突出接触部２２が設けられる。
【０００６】
また、この文字修正器は各部に次のような構成を備えることが好ましい。
（８）前記レールスロット１１のスロットには、フレキシブルスナップ３３がバックルできるための長欠け口１３が設けられる。
（９）前記後ハウシング２の片側に長欠け口１３に合わせ、嵌合後、後ハウシング２の位置を固定するための方形突出ブロック２３が設けられる。前記前ハウシング１の他方側に、後ハウシング２他方側が三角突出ブロック２４の嵌合の位置固定に用いられるための三角欠け口１６が設けられる。
（１０）前記前ハウシング１片側の内壁にあるレールスロット１１の両側に突出した平行外レール１４、１４’が設けられ、修正台３外壁にあるフレキシブルスナップ３３の両側に突出した平行内レール３５、３５’が設けられており、二内レール３５、３５’が二外レール１４、１４’にガイドされるように、前記二外レール１４、１４’のピッチＷ１は二内レール３５，３５’のピッチＷ２より大きく設けられている。
（１１）前記修正台３は後台３１、後台３１の前と結合したフロントバー３２、及びフロントバー３２の先と結合した舌板３４からなるものであり、前記後台３１の末端にボタン５内に嵌められた突出椎体３６があり、後台３１の壁面に二突出柱３７、３８が設けられる。
（１２）前記ローラー組４は、材料テープ４１を供給するためのフィードローラ４２、材料テープ４１を巻き取るための巻きローラ４３、前記フィードローラ４２及び巻きローラ４３を同時に回転させようとするためのリング状ベルト４４からなるものであり、前記フィードローラ４２及び巻きローラ４３はそれぞれ後台３１の突出柱３７、３８に設けられ、結合される。
（１３）前記前ハウシング１の両側にボタン孔１５、１５’が設けられ、前記後ハウシング２の両側に、前記ボタン孔１５、１５’内にバックルされるためのフレキシブルボタンクリップ２５、２５’が設けられている。
（１４）前記フロントバー３２の後ろの両側に、外向きに突出し、対称したストッパー部３９が設けられており、前記中空前ハウシング１内に階段のような平底部１９があり、前記フロント開口部１７は平底部１９の中央に設けられ、引張ばね６はフロントバー３２及び粘着テープ４１の外周に設けられており、その片側は平底部１０に止められ、他方側はストッパー部３９に止められている。
【考案の効果】
【０００７】
本考案の文字修正器は、上記の各構成により、次のような作用効果を有する。
（１）プッシュ装置は、フレキシブルクリップ２１が設けられており、前記フレキシブルクリップはペンクリップと同じような用途のほかに、親指で押すと、修正台３のバックル状態が解除され、修正台３が上がるようになるのである。修正台３のフレキシブルスナップ３３、前ハウシング１のレールスロット１１沿いに滑り動き、長欠け口１３又は嵌め穴１２にバックスされるようになっており、レールスロット１１はフレキシブルスナップ３３を正確にバックルさせるようにすることができる。
（２）前ハウシング１の片側の内壁にある二外レール１４、１４’は、修正台３の後台３１の裏にある雙内レールを制御し、修正台３が前ハウシング１内に安定しながら導入される。そして、前ハウシング１の他方側の内壁にある二突出レール１８、１８’は、修正台３の他方側との摩擦が起こらないように設けられるのである。
（３）引張ばね６は金属材質で、修正台３はプラスチック材質であり、引張ばね６は修正台３のフロントバー３２及び粘着テープ４１の外の四周に設けられるため、後日文字修正器が回収されるとき、引張ばね６が修正台３から簡単に取り外せるので、環境保護のリサイクルに役立つものである。
【考案を実施するための最良の形態】
【０００８】
以下、本考案の一実施の形態を図面を用いて説明する。図１は文字修正器の分解斜視図である。図２はその組立図、図３はその内部を透視して示す組立図である。図４は組み立て途中の分解斜視図である。
【０００９】
図１に示すように、文字修正器１０は、前部に開口部１７を有する中空の前ハウシング１と、この前ハウシング１（の後部）に結合される、後部に貫通穴２６を有する中空の後ハウシング２と、前、後の各ハウシング１、２内に一連のばね６を介して往復動作可能に配設され、先端が前ハウジング１の前部開口部１７から出没可能な修正台３、及び材料テープ４１となる粘着テープを修正台３の先端に送り出しかつ巻き取る１組のローラー４と、後ハウシング２の貫通穴２６内に配置され、修正台３を動かす（押す）のに使用するボタン５とを備える。
【００１０】
前ハウシング１の片側一方の側面の内壁に後述するフレキシブルスナップ３３が滑動可能にレールスロット１１が形成され、このレールスロット１１の所定の位置に当該フレキシブルスナップ３３が嵌合可能な穴１２が併せて設けられる。修正台３の後台３１の外壁にフレキシブルスナップ３３が設けられ、フレキシブルスナップ３３が前ハウジングのレールスロット１１上を滑り動き、穴１２内に嵌まるようになっている。後ハウシング２の外壁にフレキシブルクリップ２１が設けられ、このフレキシブルクリップ２１の先端の底部（内側）に、前ハウジングの穴１２に嵌合可能な突状の接触部２２が設けられる。
【００１１】
レールスロット１１（の後端部）には、フレキシブルスナップ３３を係止可能な長欠け口１３が設けられる。後ハウシング２のレールスロット１１（の後端部）に対応する前部側の縁部に長欠け口１３に嵌合可能な方形突出ブロック２３が設けられる。また、前ハウシング１のレールスロット１１の後端部とは対称の反対側の後端部に、三角欠け口１６が設けられ、後ハウシング２の三角欠け口１６に対応する前部側の縁部に三角突出ブロック２４が設けられる。これら長欠け口１３と方形突出ブロック２３とを係合させ、併せて三角欠け口１６と三角突出ブロック２４とを係合させて、前ハウジングに対して後ハウシング２の位置が固定される。
【００１２】
前ハウシング１に形成されたレールスロット１１の両側に平行に外レール１４、１４’が突出して設けられる。修正台３の外壁にフレキシブルスナップ３３の両側に平行に内レール３５、３５’が突出して設けられる。この場合、２つの外レール１４、１４’のピッチＷ１は２つの内レール３５、３５’のピッチＷ２より大きく、修正台３の２つの内レール３５、３５’が前ハウジングの２つの外レール１４、１４’にガイドされるようになっている。また、前ハウシング１のレールスロット１１とは反対の片側他方の側面の内壁に２つの突出レール１８、１８’が平行に設けられて、これらの突出レールで修正台３の他方側（舌板３４、フロントバー３２）が支えられる。このようにして、図４に示すように、修正台３を前ハウシング１を導入するときに、フレキシブルスナップ３３がレールスロット１１に沿って導入され、前ハウジングの片側一方の内壁の２本の内レール３５、３５’が２本の外レール１４、１４’にガイドされて、修正台３が偏りなくまっすぐに導入される。そして、前ハウシング１の他方側の内壁の２つの突出レール１８、１８’で修正台３の他方側が支えられるので、修正台３の他方側と前ハウシング１の内壁との間に摩擦が起こらない、又は起こりにくい。
【００１３】
修正台３は、粘着テープ４１の送り出し及び巻き取りに使用する１組のローラー４を持つ後台３１と、後台３１の前に結合されたフロントバー３２と、フロントバー３２の先に結合された舌板３４とからなり、後台３１の末端に棒３６がボタン５内に嵌入可能に突出され、後台３１の壁面（側壁）に２つの柱状突起３７、３８が突出される。
【００１４】
１組のローラー４は周知の構造で、材料テープ４１を供給するためのフィードローラ４２と、材料テープ４１を巻き取るための巻き取りローラ４３と、これらフィードローラ４２及び巻き取りローラ４３間に巻き掛けられて、これらのローラ４２、４３を同時に回転するリング状ベルト４４とからなり、フィードローラ４２及び巻き取りローラ４３がそれぞれ、後台３１の柱状突起３７、３８に取り付けられる。材料テープ４１の粘着テープはフィードローラ４２から修正台３のフロントバー３２の先端の舌板３４に巻き掛けられ、巻き取りローラ４３に巻き取られるようになっている。
【００１５】
フロントバー３２の後ろの両側に対称的に、外向きに突出するストッパー部３９が設けられる。前ハウシング１内には前部の開口部１７の手前、所定の位置に段部が形成されて平底部１９が設けられる。前部の開口部１７はこの平底部１９と同芯上に設けられる。引張ばね６はフロントバー３２及び粘着テープ４１の外周に装着され、その一端は平底部１０に係止され、他端がストッパー部３９に係止される。
【００１６】
前ハウシング１の両側にボタン孔１５、１５’が設けられる。後ハウシング２の両側に、前ハウジング１の各ボタン孔１５、１５’内に係合可能なフレキシブルボタンクリップ２５、２５’が設けられる。前ハウシング１の各ボタン孔１５、１５’に後ハウシング２の各フレキシブルボタンクリップ２５、２５’が係止されることにより、前ハウシング１と後ハウシング２が結合固定される。これらボタン孔１５、１５’とフレキシブルボタンクリップ２５、２５’により、前ハウシング１と後ハウシング２を簡単に素早く組み合わせて固定することができる。また、ユーザは両指で２つのフレキシブルボタンクリップ２５、２５’を押すだけで、各フレキシブルボタンクリップ２５、２５’が各ボタン孔１５、１５’から離脱するので、前ハウシング１と後ハウシング２を素早く取り外すことができる。
【００１７】
図５は、文字修正器１０のボタン５をプッシュする前を例示している。図５に示すように、ボタン５が押される前は、修正台３のフレキシブルスナップ３３がレールスロット１１（の後端部）に形成された長欠け口１３内に係止されており、このとき、前ハウジング１及び後ハウジング２内で修正台３は引張ばね６により引っ張られて、修正台３全体が上昇され、修正台３の先端の舌板３４は前ハウシング１内に没し、材料テープが使えない状態になる。
【００１８】
図６は、文字修正器１０のボタン５をプッシュした後を例示している。図５に示すように、ボタン５が押されると、前ハウジング１及び後ハウジング２内で修正台３が引張ばね６を圧縮しながら降下され、フレキシブルスナップ３３がレールスロット１１に沿って下がり、穴１２のところまで来ると、穴１２に係止されて、修正台３が固定され（昇降できない）、修正台３の先端の舌板３４が前ハウシング１の外に出る。これが文字修正テープの使用状態で、材料テープ４１を紙の上で使うことができる。
【００１９】
そして、ユーザが材料テープ４１を使わないときは、フレキシブルスナップ３３と穴１２との係合状態を解除して、舌板３４を前ハウシング１内に入れる必要があるが、この場合、ユーザは親指で後ハウシング２のフレキシブルクリップ２１（矢印のところ）を押すことで、フレキシブルクリップ２１の内側の突状の接触部２２が穴１２内に嵌入され、この接触部２２によりフレキシブルスナップ３３が押されて穴１２から離脱し、修正台３が引張ばね６により引っ張られて、素早く上がり、図５に示す状態に戻される。
【００２０】
以上説明したように、この文字修正器１０では、プッシュ装置は、フレキシブルクリップ２１が採用され、このフレキシブルクリップ２１がペンクリップと同じような用途のほかに、修正台３の係止状態を解除する操作ボタンになっていて、親指で押すだけで、修正台３の係止状態が解除されて、修正台３が上がるので、操作を容易にすることができる。また、この文字修正器１０の場合、ボタン５を押すと、修正台３のフレキシブルスナップ３３が前ハウシング１のレールスロット１１沿いに滑り動き、穴１２に係止されるので、レールスロット１１上でフレキシブルスナップ３３を正確に穴１２に係止させることができ、フレキシブルクリップ２を押すと、修正台３のフレキシブルスナップ３３が前ハウシング１のレールスロット１１沿いに滑り動き、長欠け口１３に係止されるので、レールスロット１１上でフレキシブルスナップ３３を正確に長欠け口１３に係止させることができる。
【００２１】
また、前ハウシング１の片側一方の内壁の外レール１４、１４’は、修正台３の後台３１の内レール３５、３５’を制御し、修正台３を前ハウシング１内に安定して導入することができる。そして、前ハウシング１の片側他方の内壁に突出レール１８、１８’が設けられたことで、修正台３の他方側と摩擦が起こることがなく、又は著しく軽減されて、修正台３を円滑に動作させることができる。
【００２２】
さらに、引張ばね６は金属ばねで、修正台３はプラスチック材であるが、引張ばね６は修正台３のフロントバー３２及び粘着テープ４１の外周に設けられるので、使用済み後の文字修正器１０が回収されるときに、引張ばね６を修正台３から簡単に取り外すことができ、環境保護のリサイクルに役立つものとなる。
【００２３】
以上、本考案について、図面に示す好ましい実施の形態に基づいて説明してきたが、本考案はこの実施の形態に制限されるものではなく、本考案の要旨に一致する限り、変更や改造を加えたものとしても、すべて本考案の範囲内に属するものである。
【図面の簡単な説明】
【００２４】
【図１】本考案の一実施の形態における文字修正器の構成を示す分解斜視図
【図２】同修正器の組立図
【図３】同修正器の内部を透視して示す組立図
【図４】同修正器の組み立て途中の一部分解斜視図
【図５】同修正器文字修正器のボタンをプッシュする前の状態を示す断面図
【図６】同修正器文字修正器のボタンをプッシュした後の状態を示す断面図
【符号の説明】
【００２５】
１  前ハウシング
１１  レールスロット
１２  穴
１３  長欠け口
１４、１４’  外レール
１５、１５’  ボタン孔
１６  三角欠け口
１７  開口部
１８、１８’  突出レール
１９  平底部
２  後ハウシング
２１  フレキシブルクリップ
２２  接触部
２３  方形突出ブロック
２４  三角突出ブロック
２５、２５’  フレキシブルボタンクリップ
２６  貫通穴
３    修正台
３１  後台
３２  フロントバー
３３  フレキシブルスナップ
３４  舌板
３５、３５’  内レール
３６  棒体
３７、３８  柱状突起
３９  ストッパー部
４  １組のローラー
４１  材料テープ（粘着テープ）
４２  フィードローラ
４３  巻き取りローラ
４４  リング状ベルト
５  ボタン
６  引張ばね
Ｗ１、Ｗ２  ピッチ
【図１】
0003140474.tif 000003
【図２】
0003140474.tif 000004
【図３】
0003140474.tif 000005
【図４】
0003140474.tif 000006
【図５】
0003140474.tif 000007
【図６】
0003140474.tif 000008